(57)【要約】【課題】アップリンク周波数分割多元接続システムにおける無線リソース制御を提供する。【解決手段】共通の周波数帯域を複数の周波数帯域サブブロックに分割する工程と、ユーザー端末によって使用される変調および符号化方式に基づいて少なくとも１つのユーザー端末を各周波数帯域サブブロックに割り当てる工程と、ユーザー端末によって使用される変調および符号化方式に基づいてユーザー端末の送信電力を制御する工程とを含んでなる、アップリンク周波数分割多元接続システムにおける無線リソースを制御する方法。【選択図】図７
2008541527.tif 000002
【特許請求の範囲】
【請求項１】
ネットワークインフラストラクチャーと通信するための複数のユーザー端末によって共通の周波数帯域が使用されるアップリンク周波数分割多元接続システムにおける無線リソースを制御する方法であって、
前記共通の周波数帯域を、複数の周波数帯域サブブロックに分割する工程と、
少なくとも１つのユーザー端末によって使用される変調および符号化方式に基づいて、
前記少なくとも１つのユーザー端末を各周波数帯域サブブロックに割り当てる工程と、
前記少なくとも１つのユーザー端末によって使用される変調および符号化方式に基づいて、前記少なくとも１つのユーザー端末の送信電力を制御する工程と、
を含んでなることを特徴とする前記方法。
【請求項２】
前記少なくとも１つのユーザー端末および前記ネットワークインフラストラクチャーのデジタルまたはアナログフィルターを用いて、前記異なる周波数帯域サブブロックを分離することをさらに含んでなる、請求項１に記載の方法。
【請求項３】
少なくとも１つのユーザー端末を各周波数帯域サブブロックに割り当てる前記工程は、ほぼ同様の変調および符号化方式を備えたユーザー端末を、対応する周波数帯域サブブロックに割り当てることをさらに含んでなる、請求項１に記載の方法。
【請求項４】
少なくとも１つのユーザー端末を各周波数帯域サブブロックに割り当てる前記工程は、前記少なくとも１つのユーザー端末の受信電力レベルを検出し、同じ平均受信電力レベルを有するユーザー端末を、同じ周波数帯域サブブロックに割り当てることによって多重アクセス干渉を最小限に抑えることをさらに含んでなる、請求項１に記載の方法。
【請求項５】
少なくとも１つのユーザー端末を各周波数帯域サブブロックに割り当てる前記工程は、ほぼ同様の変調および符号化方式を備えたユーザー端末を、隣接する周波数帯域サブブロックに割り当てることをさらに含んでなる、請求項１に記載の方法。
【請求項６】
特定のユーザー端末がどの変調および符号化方式を使用しているのか検出し、前記検出された変調および符号化方式に基づいて、前記特定のユーザー端末を特定の周波数帯域サブブロックに割り当てることをさらに含んでなる、請求項１に記載の方法。
【請求項７】
前記少なくとも１つのユーザー端末によって使用される異なる組み合わせの変調および符号化方式について前記ネットワークインフラストラクチャーに報知し、特定の周波数帯域サブブロックで使用される特定の組み合わせの変調および符号化方式を前記ネットワークインフラストラクチャーによって選択することをさらに含んでなる、請求項１に記載の方法。
【請求項８】
特定の周波数帯域サブブロックでどの変調および符号化方式が使用されるかについての情報を、前記ネットワークインフラストラクチャーによって、前記少なくとも１つのユーザー端末に提供することをさらに含んでなる、請求項１に記載の方法。
【請求項９】
１つ以上のユーザー端末が初めに割り当てられた周波数帯域サブブロックが周波数ホッピングを起こした場合に、前記少なくとも１つのユーザー端末によって使用される変調および符号化方式に基づいて、前記１つ以上のユーザー端末を第２の周波数帯域サブブロックに割り当てることをさらに含んでなる、請求項１に記載の方法。
【請求項１０】
前記第２の周波数帯域サブブロックは、前記１つ以上のユーザー端末が初めに割り当てられた周波数帯域サブブロックと少なくともほぼ同様の変調および符号化方式を使用する、請求項９に記載の方法。
【請求項１１】
前記１つ以上のユーザー端末を前記第２の周波数帯域サブブロックに割り当てる前に、前記１つ以上のユーザー端末の変調および符号化方式を変えて前記第２の周波数帯域サブブロックの変調および符号化方式に対応させることをさらに含んでなる、請求項９に記載の方法。
【請求項１２】
使用される前記アップリンク周波数分割多元接続システムは、シングルキャリア周波数分割多元接続システムまたは直交周波数分割多元接続システムである、請求項１に記載の方法。
【請求項１３】
ネットワークインフラストラクチャーと通信するための複数のユーザー端末によって共通の周波数帯域が使用されるアップリンク周波数分割多元接続を支援する無線電気通信システムであって、
前記無線電気通信システムは、ネットワークインフラストラクチャーと、複数のユーザー端末とを含んでなり、
前記ネットワークインフラストラクチャーは、
前記共通の周波数帯域を複数の周波数帯域サブブロックに分割し、前記ユーザー端末によって使用される変調および符号化方式に基づいて少なくとも１つのユーザー端末を各周波数帯域サブブロックに割り当て、そして前記ユーザー端末によって使用される変調および符号化方式に基づいて前記ユーザー端末の送信電力を制御するように構成されている処理装置、
を含んでなる、
ことを特徴とする前記無線電気通信システム。
【請求項１４】
前記ユーザー端末および前記ネットワークインフラストラクチャーに、前記異なる周波数帯域サブブロックを分離するためのデジタルまたはアナログフィルターをさらに含んでなる、請求項１３に記載の無線電気通信システム。
【請求項１５】
前記処理装置は、ほぼ同様の変調および符号化方式を備えたユーザー端末を、対応する周波数帯域サブブロックに割り当てるようにさらに構成されている、請求項１３に記載の無線電気通信システム。
【請求項１６】
前記処理装置は、前記ユーザー端末の受信電力レベルを検出し、かつ、同じ平均受信電力レベルを有するユーザー端末を、対応する周波数帯域サブブロックに割り当てることによって多重アクセス干渉を最小限に抑えるようにさらに構成されている、請求項１３に記載の無線電気通信システム。
【請求項１７】
前記処理装置は、ほぼ同様の変調および符号化方式を備えたユーザー端末を、隣接する周波数帯域サブブロックに割り当てるようにさらに構成されている、請求項１３に記載の無線電気通信システム。
【請求項１８】
前記処理装置は、特定のユーザー端末がどの変調および符号化方式を使用しているのか検出し、かつ、前記検出された変調および符号化方式に基づいて、特定のユーザー端末を特定の周波数帯域サブブロックに割り当てるようにさらに構成されている、請求項１３に記載の無線電気通信システム。
【請求項１９】
前記処理装置は、ユーザー端末によって使用される異なる組み合わせの変調および符号化方式についての情報を前記ユーザー端末から受信し、かつ、特定の周波数帯域サブブロックで使用される特定の組み合わせの変調および符号化方式を選択するようにさらに構成されている、請求項１３に記載の無線電気通信システム。
【請求項２０】
前記処理装置は、特定の周波数帯域サブブロックでどの変調および符号化方式が使用されるかについての情報を、前記ユーザー端末に提供するようにさらに構成されている、請求項１３に記載の無線電気通信システム。
【請求項２１】
前記処理装置は、１つ以上のユーザー端末が初めに割り当てられた周波数帯域サブブロックが周波数ホッピングを起こした場合に、前記ユーザー端末によって使用される変調および符号化方式に基づいて、前記１つ以上のユーザー端末を第２の周波数帯域サブブロックに割り当てるようにさらに構成されている、請求項１３に記載の無線電気通信システム。
【請求項２２】
前記第２の周波数帯域サブブロックは、前記１つ以上のユーザー端末が初めに割り当てられた周波数帯域サブブロックとほぼ同様の変調および符号化方式を使用する、請求項２１に記載の無線電気通信システム。
【請求項２３】
前記処理装置は、前記１つ以上のユーザー端末を前記第２の周波数帯域サブブロックに割り当てる前に、前記１つ以上のユーザー端末の変調および符号化方式を変えて前記第２の周波数帯域サブブロックの変調および符号化方式に対応させるようにさらに構成されている、請求項２１に記載の無線電気通信システム。
【請求項２４】
使用される前記アップリンク周波数分割多元接続システムは、シングルキャリア周波数分割多元接続システムまたは直交周波数分割多元接続システムである、請求項１３に記載の無線電気通信システム。
【請求項２５】
ネットワークインフラストラクチャーと通信するための複数のユーザー端末によって共通の周波数帯域が使用されるアップリンク周波数分割多元接続を支援する無線電気通信システムであって、
前記無線電気通信システムは、ネットワークインフラストラクチャーと、複数のユーザー端末とを含んでなり、
前記ネットワークインフラストラクチャーは、
前記共通の周波数帯域を複数の周波数帯域サブブロックに分割する分割手段と、
前記ユーザー端末によって使用される変調および符号化方式に基づいて少なくとも１つのユーザー端末を各周波数帯域サブブロックに割り当てる無線リソース割当手段と、
前記ユーザー端末によって使用される変調および符号化方式に基づいて前記ユーザー端末の送信電力を制御する電力制御手段と、
を含んでなる、
ことを特徴とする前記無線電気通信システム。
【請求項２６】
ネットワークインフラストラクチャーと通信するための複数のユーザー端末によって共通の周波数帯域が使用されるアップリンク周波数分割多元接続を支援する無線電気通信システムのネットワーク構成要素であって、
前記共通の周波数帯域を複数の周波数帯域サブブロックに分割し、前記ユーザー端末によって使用される変調および符号化方式に基づいて少なくとも１つのユーザー端末を各周波数帯域サブブロックに割り当て、そして前記ユーザー端末によって使用される変調および符号化方式に基づいて前記ユーザー端末の送信電力を制御するように構成されている処理装置、
を含んでなることを特徴とする前記ネットワーク構成要素。
【請求項２７】
異なる周波数帯域サブブロックを分離するためのデジタルまたはアナログフィルターをさらに含んでなる、請求項２６に記載のネットワーク構成要素。
【請求項２８】
前記処理装置は、ほぼ同様の変調および符号化方式を備えたユーザー端末を、同じ周波数帯域サブブロックに割り当てるようにさらに構成されている、請求項２６に記載のネットワーク構成要素。
【請求項２９】
前記処理装置は、前記ユーザー端末の受信電力レベルを検出し、かつ、同じ平均受信電力レベルを有するユーザー端末を、同じ周波数帯域サブブロックに割り当てることによって多重アクセス干渉を最小限に抑えるようにさらに構成されている、請求項２６に記載のネットワーク構成要素。
【請求項３０】
前記処理装置は、ほぼ同様の変調および符号化方式を備えたユーザー端末を、隣接する周波数帯域サブブロックに割り当てるようにさらに構成されている、請求項２６に記載のネットワーク構成要素。
【請求項３１】
前記処理装置は、特定のユーザー端末がどの変調および符号化方式を使用しているのか検出し、かつ、前記検出された変調および符号化方式に基づいて、前記特定のユーザー端末を特定の周波数帯域サブブロックに割り当てるようにさらに構成されている、請求項２６に記載のネットワーク構成要素。
【請求項３２】
前記処理装置は、ユーザー端末によって使用される異なる組み合わせの変調および符号化方式についての情報を前記ユーザー端末から受信し、かつ、特定の周波数帯域サブブロックで使用される特定の組み合わせの変調および符号化方式を選択するようにさらに構成されている、請求項２６に記載のネットワーク構成要素。
【請求項３３】
前記処理装置は、特定の周波数帯域サブブロックでどの変調および符号化方式が使用されるかについての情報を、前記ユーザー端末に提供するようにさらに構成されている、請求項２６に記載のネットワーク構成要素。
【請求項３４】
前記処理装置は、１つ以上のユーザー端末が初めに割り当てられた周波数帯域サブブロックが周波数ホッピングを起こした場合に、前記ユーザー端末によって使用される変調および符号化方式に基づいて、前記１つ以上のユーザー端末を第２の周波数帯域サブブロックに割り当てるようにさらに構成されている、請求項２６に記載のネットワーク構成要素。
【請求項３５】
前記第２の周波数帯域サブブロックは、前記１つ以上のユーザー端末が初めに割り当てられた周波数帯域サブブロックとほぼ同様の変調および符号化方式を使用する、請求項３４に記載のネットワーク構成要素。
【請求項３６】
前記処理装置は、前記１つ以上のユーザー端末を前記第２の周波数帯域サブブロックに割り当てる前に、前記１つ以上のユーザー端末の変調および符号化方式を変えて前記第２の周波数帯域サブブロックの変調および符号化方式に対応させるようにさらに構成されている、請求項３４に記載のネットワーク構成要素。
【請求項３７】
ネットワークインフラストラクチャーと通信するための複数のユーザー端末によって共通の周波数帯域が使用されるアップリンク周波数分割多元接続を支援する無線電気通信システムのネットワーク構成要素であって、
前記共通の周波数帯域を複数の周波数帯域サブブロックに分割する分割手段と、
前記ユーザー端末によって使用される変調および符号化方式に基づいて少なくとも１つのユーザー端末を各周波数帯域サブブロックに割り当てる無線リソース割当手段と、
前記ユーザー端末によって使用される変調および符号化方式に基づいて前記ユーザー端末の送信電力を制御する電力制御手段と、
を含んでなることを特徴とする前記ネットワーク構成要素。
【請求項３８】
ネットワークインフラストラクチャーと通信するための複数のユーザー端末によって共通の周波数帯域が使用されるアップリンク周波数分割多元接続システムにおける無線リソースを制御するコンピュータ処理を実行するための、コンピュータで読み取り可能な媒体に記録されたコンピュータプログラムであって、
前記処理は、
前記共通の周波数帯域を複数の周波数帯域サブブロックに分割し、
前記ユーザー端末によって使用される変調および符号化方式に基づいて少なくとも１つのユーザー端末を各周波数帯域サブブロックに割り当て、そして
前記ユーザー端末によって使用される変調および符号化方式に基づいて前記ユーザー端末の送信電力を制御する、
ことを含んでなる、
ことを特徴とする前記コンピュータプログラム。
【請求項３９】
コンピュータで読み取り可能であり、かつ、ネットワークインフラストラクチャーと通信するための複数のユーザー端末によって共通の周波数帯域が使用されるアップリンク周波数分割多元接続システムにおける無線リソースを制御するコンピュータ処理を実行するための命令のコンピュータプログラムをエンコードするコンピュータプログラム配布媒体であって、
前記処理は、
前記共通の周波数帯域を複数の周波数帯域サブブロックに分割し、
前記ユーザー端末によって使用される変調および符号化方式に基づいて少なくとも１つのユーザー端末を各周波数帯域サブブロックに割り当て、そして
前記ユーザー端末によって使用される変調および符号化方式に基づいて前記ユーザー端末の送信電力を制御する、
ことを含んでなる、
ことを特徴とする前記コンピュータプログラム配布媒体。
【請求項４０】
コンピュータで読み取り可能な媒体、プログラム記憶媒体、記録媒体、コンピュータで読み取り可能なメモリ、コンピュータで読み取り可能なソフトウェア配布パッケージ、コンピュータで読み取り可能な信号、コンピュータで読み取り可能な通信信号、およびコンピュータで読み取り可能な圧縮されたソフトウェアパッケージを含んでなる、請求項３９に記載のコンピュータプログラム配布媒体。
【発明の詳細な説明】
【技術分野】
【０００１】
本発明は、アップリンク周波数分割多元接続システムにおける無線リソースを制御する方法、アップリンク周波数分割多元接続を支援する無線電気通信システム、ネットワーク構成要素、アップリンク周波数分割多元接続システムにおける無線リソースを制御するためのコンピュータ処理を実行するための命令のコンピュータプログラムをエンコードするコンピュータプログラム製品、およびコンピュータで読み取り可能であり且つアップリンク周波数分割多元接続システムにおける無線リソースを制御するコンピュータ処理を実行するための命令のコンピュータプログラムをエンコードするコンピュータプログラム配布媒体に関する。
【背景技術】
【０００２】
周波数分割多元接続（ＦＤＭＡ）システムおよび方法は、無線通信システムで広く利用されている。ＦＤＭＡは、周波数スペクトルをより小さな複数の周波数セルに分割する無線通信技術である。前記スペクトルの各セルは、データで変調され得る搬送波信号を有する。これは、前記スペクトルで通信できるデータの量を増やすだけでなく、サービスプロバイダーに帯域幅を割り当てるメカニズムを提供する。
【０００３】
例えば、来るべき３ＧＰＰ（第三世代提携プロジェクト）システムの発展において、ＦＤＭＡは、３．９Ｇアップリンク（ＵＬ）のスループット性能を高めるための有望な技術を提供する。孤立セルの場合、ＷＣＤＭＡを上回るＦＤＭＡの利得は、明らかである。非孤立セルの場合、前記利得はわずかに小さく、主に、必要とされるサービスエリア確率に依存する。ＦＤＭＡアップリンクは、シングルキャリアＦＤＭＡ（ＳＣ−ＦＤＭＡ）法またはマルチキャリアＯＦＤＭＡ（直交ＦＤＭＡ、ＯＦＤＭＡ）法を用いることによって実現することができる。
【０００４】
ＦＤＭＡおよびＯＦＤＭＡのアップリンクの性能は、周波数エラーや位相ノイズなどの非理想的な性質に敏感である。一般に、周波数エラーは、ドップラー偏移およびアップリンクトランシーバーとダウンリンクトランシーバーとの間の周波数同期エラーによって生じる。最悪の場合、基地局トランシーバーによって検出されるドップラー効果によって生じる周波数エラーは、最大ドップラー偏移の２倍になる。
【０００５】
周波数エラーに関する問題は、各端末が、ダウンリンク方向の基地局の局部発振器と同期化されているそれ自身の局部発振器を有するアップリンク方向において深刻である。同期相において、各末端は、端末の局部発振器と基地局の局部発振器との周波数差に加えられる異なるドップラーを見る。従って、基地局は、異なる末端からの異なる周波数修正を見ることになる。
【０００６】
非理想的性質は、隣接チャネルリークを引き起こす。そして、これが、多重アクセス干渉を生じさせる。多重アクセス干渉とは、ＦＤＭＡ／ＯＦＭＡシステムの異なるユーザー同士が、基地局レシーバーにおいて互いに干渉し始めることを意味する。隣接する帯域を利用する異なるユーザーの受信レベルの電力差が大きいほど、多重アクセス干渉に関する問題も深刻になる。
【０００７】
図１は、公知のシングルキャリアＦＤＭＡシステム（ＳＣ−ＦＤＭＡ）における帯域幅の使用の原理を示す。共通の周波数帯域が、複数のユーザー端末によって使用される。全帯域幅１１０は、例えば２０ＭＨｚである。各ユーザー端末は、例えば、データ転送速度および信号対妨害雑音比（ＳＩＮＲ）に応じて、搬送周波数および信号帯域幅１００、１０２および１０４を調整する。ＳＣ−ＦＤＭＡの場合、多重アクセス干渉の問題は、送信フィルターおよび受信フィルターおよびユーザー間の保護周波数帯１０６および１０８によって解決される。ＳＣ−ＦＤＭＡの欠点とは、かなり広い保護周波数帯と長い保護時間が必要とされるため、諸経費が高くなることである。そして、これが、システムのスペクトル効率を下げる。前記問題は、伝送帯域幅が最も狭いときに最も深刻である。
【０００８】
図２は、ＦＤＭＡ／ＯＦＤＭＡシステムにおけるスペクトルの別の公知の利用方法を示す。変調および符号化方式（ＭＣＳ）が異なるユーザーである１ｘ１６ＱＡＭ２／３ユーザー、２ｘＱＰＳＫ１／２ユーザー、４ｘＱＰＳＫ１／６ユーザーは、同じ周波数領域１００においてＭＣＳが同じであるユーザーは近接し、ＭＣＳが異なるユーザーは離れるように、前記周波数領域内に配置されている。受信機側では、共通のフィルターが使用される。この方法に関する問題とは、受信電力レベルの低いユーザーが受信電力レベルの高いユーザー（例えば、１６ＱＡＭ、ＥＣＲ＝２／３）から強い干渉を受けるということである。この干渉の問題は、前記システム内に周波数エラーがある場合に、より深刻である。
【０００９】
前述の理由により、アップリンク周波数分割多元接続システムにおける無線リソース制御の改善を検討することが望ましい。
【発明の開示】
【発明が解決しようとする課題】
【００１０】
本発明の目的は、改善された方法、ユーザー装置、無線電気通信システム、ネットワーク構成要素、コンピュータプログラム製品およびコンピュータプログラム配布媒体を提供することである。本発明の１つの態様によれば、ネットワークインフラストラクチャーと通信するための複数のユーザー端末によって共通の周波数帯域が使用されるアップリンク周波数分割多元接続システムにおける無線リソースを制御する方法が提供される。前記方法は、前記共通の周波数帯域を、複数の周波数帯域サブブロックに分割する工程と、前記ユーザー端末によって使用される変調および符号化方式に基づいて、少なくとも１つのユーザー端末を各周波数帯域サブブロックに割り当てる工程と、前記ユーザー端末によって使用される変調および符号化方式に基づいて、前記ユーザー端末の送信電力を制御する工程とを含んでなる。
【００１１】
本発明の別の態様によれば、ネットワークインフラストラクチャーと通信するための複数のユーザー端末によって共通の周波数帯域が使用されるアップリンク周波数分割多元接続を支援する無線電気通信システムであって、ネットワークインフラストラクチャーと複数のユーザー端末とを含んでなる無線電気通信システムが提供される。前記ネットワークインフラストラクチャーは、前記共通の周波数帯域を複数の周波数帯域サブブロックに分割し、前記ユーザー端末によって使用される変調および符号化方式に基づいて少なくとも１つのユーザー端末を各周波数帯域サブブロックに割り当て、そして前記ユーザー端末によって使用される変調および符号化方式に基づいて前記ユーザー端末の送信電力を制御するように構成されている処理装置を含んでなる。
【００１２】
本発明の別の態様によれば、ネットワークインフラストラクチャーと通信するための複数のユーザー端末によって共通の周波数帯域が使用されるアップリンク周波数分割多元接続を支援する無線電気通信システムであって、ネットワークインフラストラクチャーと複数のユーザー端末とを含んでなる無線電気通信システムが提供される。前記ネットワークインフラストラクチャーは、前記共通の周波数帯域を複数の周波数帯域サブブロックに分割する分割手段と、前記ユーザー端末によって使用される変調および符号化方式に基づいて少なくとも１つのユーザー端末を各周波数帯域サブブロックに割り当てる無線リソース割当手段と、前記ユーザー端末によって使用される変調および符号化方式に基づいて前記ユーザー端末の送信電力を制御する電力制御手段とを含んでなる。
【００１３】
本発明の別の態様によれば、ネットワークインフラストラクチャーと通信するための複数のユーザー端末によって共通の周波数帯域が使用されるアップリンク周波数分割多元接続を支援する無線電気通信システムのネットワーク構成要素が提供される。前記ネットワーク構成要素は、前記共通の周波数帯域を複数の周波数帯域サブブロックに分割し、前記ユーザー端末によって使用される変調および符号化方式に基づいて少なくとも１つのユーザー端末を各周波数帯域サブブロックに割り当て、そして前記ユーザー端末によって使用される変調および符号化方式に基づいて前記ユーザー端末の送信電力を制御するように構成されている処理装置を含んでなる。
【００１４】
本発明の別の態様によれば、ネットワークインフラストラクチャーと通信するための複数のユーザー端末によって共通の周波数帯域が使用されるアップリンク周波数分割多元接続を支援する無線電気通信システムのネットワーク構成要素が提供される。前記ネットワーク構成要素は、前記共通の周波数帯域を複数の周波数帯域サブブロックに分割する分割手段と、前記ユーザー端末によって使用される変調および符号化方式に基づいて少なくとも１つのユーザー端末を各周波数帯域サブブロックに割り当てる無線リソース割当手段と、前記ユーザー端末によって使用される変調および符号化方式に基づいて前記ユーザー端末の送信電力を制御する電力制御手段とを含んでなる。
【００１５】
本発明の別の態様によれば、ネットワークインフラストラクチャーと通信するための複数のユーザー端末によって共通の周波数帯域が使用されるアップリンク周波数分割多元接続システムにおける無線リソースを制御するコンピュータ処理を実行するための命令のコンピュータプログラムをエンコードするコンピュータプログラム製品が提供される。前記処理は、前記共通の周波数帯域を複数の周波数帯域サブブロックに分割し、前記ユーザー端末によって使用される変調および符号化方式に基づいて少なくとも１つのユーザー端末を各周波数帯域サブブロックに割り当て、そして前記ユーザー端末によって使用される変調および符号化方式に基づいて前記ユーザー端末の送信電力を制御することを含んでなる。
【００１６】
本発明の別の態様によれば、コンピュータで読み取り可能であり、かつ、ネットワークインフラストラクチャーと通信するための複数のユーザー端末によって共通の周波数帯域が使用されるアップリンク周波数分割多元接続システムにおける無線リソースを制御するコンピュータ処理を実行するための命令のコンピュータプログラムをエンコードするコンピュータプログラム配布媒体が提供される。前記処理は、前記共通の周波数帯域を複数の周波数帯域サブブロックに分割し、前記ユーザー端末によって使用される変調および符号化方式に基づいて少なくとも１つのユーザー端末を各周波数帯域サブブロックに割り当て、そして前記ユーザー端末によって使用される変調および符号化方式に基づいて前記ユーザー端末の送信電力を制御することを含んでなる。
【００１７】
利点として、本発明は、アップリンクＦＤＭＡシステムにおける無線リソースを制御する簡単な方法を提供する。前記システムのユーザー端末間の干渉を著しく減少させることができる。異なる周波数帯域サブブロックにおける異なるユーザー端末の平均受信電力レベルの差がかなり大きくなる。他のユーザー端末に過度に干渉すること無く、高いＭＣＳの潜在能力を利用することが可能である。前記システムの適応性が高まり、前記システム内での最適な無線リソースの使用が可能になる。
【発明を実施するための最良の形態】
【００１８】
図３は、本発明を適用することができる無線電気通信システムの一例を示す。以下、前記無線電気通信システムの一例としてＵＭＴＳ（ユニバーサルモバイルテレコミュニケーションシステム）を用いて、本発明の実施態様を説明する。しかしながら、本発明は、ＦＤＭＡシステム構成要素を支援する任意の無線電気通信システムに適用することができる。そのような無線電気通信システムの構造および機能およびそれに関連するネットワーク構成要素の構造および機能は、本発明に関連する場合にのみ説明する。
【００１９】
無線電気通信システムは、コアネットワーク（ＣＮ）３００と、ＵＭＴＳ地上無線アクセスネットワーク（ＵＴＲＡＮ）３０２と、ユーザー端末（ＵＥ）３０４とに分割することができる。コアネットワーク３００およびＵＴＲＡＮ３０２は、前記無線電気通信システムのネットワークインフラストラクチャーを構成する。
【００２０】
ＵＴＲＡＮ３０２は、主に、広帯域符号分割多元接続（ＷＣＤＭＡ）無線アクセス技術を以って実施される。
【００２１】
コアネットワーク３００は、ｌｕ  ＰＳインターフェースを介してＵＴＲＡＮ３０２と接続されているサービングＧＰＲＳサポートノード（ＳＧＳＮ）３０８を含んでなる。ＳＧＳＮ３０８は、コアネットワーク１００のパケット交換ドメインの中心点を表す。ＳＧＳＮ３０８の主な仕事は、ＵＴＲＡＮ３０２を用いてユーザー端末３０４にパケットを送信することおよびユーザー端末３０４からパケットを受信することである。ＳＧＳＮ３０８は、ユーザー端末３０４に関連する加入者および位置情報を備えていてもよい。
【００２２】
ＵＴＲＡＮ３０２は、無線ネットワークサブシステム（ＲＮＳ）３０６Ａ、３０６Ｂを含んでなる。前記サブシステムは、各々、少なくとも１つの無線ネットワーク制御装置（ＲＮＣ）３１０Ａ、３１０ＢおよびノードＢ３１２Ａ、３１２Ｂ、３１２Ｃ、３１２Ｄを含んでなる。
【００２３】
無線ネットワーク制御装置３１０Ａ、３１０Ｂの一部の機能は、デジタルシグナルプロセッサ、メモリ、およびコンピュータ処理を実行するためのコンピュータプログラムを以って実現することができる。無線ネットワーク制御装置３１０Ａ、３１０Ｂの基本構造および動作は当業者には周知であり、本解決法に関連する詳細のみを詳しく説明する。
【００２４】
ノードＢ３１２Ａ、３１２Ｂ、３１２Ｃ、３１２Ｄは、Ｕｕインターフェースを構成する。このＵｕインターフェースを介して、ユーザー端末３０４は、前記ネットワークインフラストラクチャーにアクセスすることができる。基地局３１２Ａ、３１２Ｂ、３１２Ｃ、３１２Ｄの一部の機能は、デジタルシグナルプロセッサ、メモリ、およびコンピュータ処理を実行するためのコンピュータプログラムを以って実現することができる。基地局３１２Ａ、３１２Ｂ、３１２Ｃ、３１２Ｄの基本構造および動作は当業者には周知であり、本解決法に関連する詳細のみを詳しく説明する。
【００２５】
ユーザー端末３０４は、２つのパーツ、すなわち、移動機器（ＭＥ）３１４およびＵＭＴＳ加入者識別モジュール（ＵＳＩＭ）３１６から成っていてもよい。移動機器３１４は、一般に、前記Ｕｕインターフェースを提供する無線周波数パーツ（ＲＦ）３１８を含んでなる。ユーザー端末３０４は、デジタルシグナルプロセッサ３２０、メモリ３２２、およびコンピュータ処理を実行するためのコンピュータプログラムをさらに含んでなる。ユーザー端末３０４は、図１に示されていないアンテナ、ユーザーインターフェースおよび電池をさらに備えていてもよい。ＵＳＩＭ３１６は、ユーザーに関連する情報およびとりわけ情報セキュリティーに関連する情報、例えば、暗号化アルゴリズムを含んでなる。
【００２６】
図４は、無線電気通信システムの別の例を示す。前記無線電気通信システムは、ネットワークインフラストラクチャー（ＮＩＳ）４００と、ユーザー端末（ＵＥ）３１４とを含んでなる。ユーザー端末３１４は、３ＧＰＰ規格で定義されているＤＰＤＣＨ（専用物理データチャネル）のようなアップリンク物理データチャネルを介して、ネットワークインフラストラクチャー４００に接続することができる。
【００２７】
ユーザー端末３１４によって送信される、３ＧＰＰ（第三世代提携プロジェクト）規格で定義されているアップリンクＤＰＣＣＨ（専用物理制御チャネル）のようなアップリンク制御チャネルは、パイロットシーケンスを含んでなる。ネットワークインフラストラクチャー４００は、前記パイロットシーケンスをエンコードし、前記アップリンクＤＰＣＣＨのＳＩＲ（信号対妨害比）のような信号品質パラメータを推定する。
【００２８】
ネットワークインフラストラクチャー４００は、前記信号品質パラメータに基づいて電力制御コマンドを発行し、ダウンリンクＤＰＣＣＨのようなダウンリンク制御チャネルを介してユーザー端末３１４に前記電力制御コマンドを送信する。前記電力制御コマンドは、例えば、閉ループ電力制御プロトコルの内ループと関連付けられてもよい。
【００２９】
ネットワークインフラストラクチャー４００は、送受信装置４１８を含んでなる。送受信装置４１８は、伝送信号のチャネル復号を行い、前記伝送信号をベースバンドから伝送周波数帯域へと変換し、そして前記伝送信号を変調および増幅する。信号処理装置ＤＳＰ４２０は、ネットワーク構成要素の動作を制御し、送受信装置４１８を介して受信される信号を評価する。伝送時間および切替時間および接続の特性についてのデータは、メモリ４２２に記憶される。
【００３０】
図４では、ユーザー端末３１４が、１つのみ示されている。しかしながら、ネットワークインフラストラクチャー４００と通信するための共通の周波数帯域を共有する複数のユーザー端末３１４が存在すると考えられる。
【００３１】
ネットワークインフラストラクチャー４００は、アップリンク方向の信号を測定する。従って、ユーザー端末３１４からのリソース要求は、例えばノードＢによって認識される。ユーザー端末３１４にリソースを割り当てることが可能かどうか決定される。例えば、適正な信号対雑音比が検出された場合、ユーザー端末３１４には、割当チャネルを介して周波数帯域が割り当てられる。
【００３２】
ある実施態様では、無線リソースの割り当てが、ネットワーク構成要素（例えばノードＢ）のようなネットワークインフラストラクチャー４００で行われる。処理装置４２０は、共通の周波数帯域を複数の周波数帯域サブブロックに分割し、かつ、ユーザー端末３１４によって使用される変調および符号化方式に基づいて少なくとも１つのユーザー端末３１４を各周波数帯域サブブロックに割り当てるように構成されている。処理装置４２０は、前記ユーザー端末によって使用される変調および符号化方式に基づいて、前記ユーザー端末の送信電力を制御するようにさらに構成されている。
【００３３】
このように、全周波数帯域幅が複数のサブブロックに分割される。例えば、全帯域幅が２０ＭＨｚである場合、サブブロックのあり得る大きさは、最小ブロックサイズ、例えば４８０ＫＨｚの倍数であり得る。
【００３４】
データ変調方式は、データビッツが常に正弦波である搬送波信号とどのように混ぜ合わされるかを定義する。デジタルの意味合いにおいて、搬送波信号を変調する異なる方法が存在する。すなわち、振幅偏移変調（ＡＳＫ）、周波数偏移変調（ＦＳＫ）、および位相偏移変調（ＰＳＫ）である。直角位相偏移変調（ＱＰＳＫ）変調は、４つの相を有する。ＷＣＤＭＡ技術を用いる現在の３ＧＰＰシステムのアップリンクでは、疑似ランダム符号を用いてユーザーを識別し、直交符号を用いてユーザーのサービスを識別する。しかしながら、３．９Ｇシステムのような来るべきシステムでは、ユーザーを異なる周波数帯域に分けるという周波数分割多元接続技術を用いることができる。ＱＡＭ（直交振幅変調）は、２つの正弦波搬送波を用いてデータを所定の物理チャネルを介して送信するという変調方式である。直交搬送波は同じ周波数帯域を占め、かつ、９０°の位相シフトで異なるため、各々を独立して変調し、同じ周波数帯域で送信し、そして受信機側で復調によって分離させることができる。
【００３５】
ある実施態様では、ネットワークインフラストラクチャー４００が、特定のユーザー端末３１４がどの変調および符号化方式を使用しているのかをまず検出し、そして前記検出された変調および符号化方式に基づいて前記特定のユーザー端末３１４を特定の周波数帯域サブブロックに割り当ててもよい。前記ユーザー端末３１４は、例えば、前記ユーザー端末３１４がどの変調および符号化方式を使用するのかについてネットワークインフラストラクチャー４００に報知してもよい。
【００３６】
他の実施態様では、特定のユーザー端末３１４が、前記ユーザー端末３１４が使用する可能性がある複数の異なる組み合わせの変調および符号化方式を備えていてもよい。そして、前記ユーザー端末３１４は、例えば、制御チャネルを介して前記異なる組み合わせについてネットワークインフラストラクチャー４００に報知してもよい。そして、ネットワークインフラストラクチャー４００は、特定の周波数帯域サブブロックで使用される特定の組み合わせの変調および符号化方式を選択してもよい。そして、ネットワークインフラストラクチャー４００は、特定の周波数帯域サブブロックで使用される前記選択された変調および符号化方式についてユーザー端末３１４に報知してもよい。
【００３７】
ある実施態様では、ネットワークインフラストラクチャー４００は、特定の周波数帯域サブブロックで使用される特定の変調および符号化方式についてユーザー端末３１４に報知してもよい。従って、事実上、ネットワークインフラストラクチャー４００は、ユーザー端末３１４に特定の周波数帯域サブブロックで特定の変調および符号化方式を使用させることができる。
【００３８】
他の実施態様では、ユーザー端末３１４は、特定の周波数帯域サブブロックでどの変調および符号化方式の組み合わせが使用できるかについての情報を備えていてもよい。ネットワークインフラストラクチャー４００は、この情報を事前にユーザー端末３１４に提供していてもよい。
【００３９】
図５は、１つ以上のユーザー端末が異なる周波数帯域サブブロック５００、５０２、５０４に割り当てられるというＦＤＭＡシステムで使用することができる本発明のある実施態様の原理を示す。ユーザー端末は、使用される変調および符号化方式（ＭＣＳ）に応じて、異なるサブブロック５００、５０２、５０４に割り当てられる。変調および符号化方式は、例えば、交通量測定および実現可能な信号対妨害比に基づいて選択することができる。ある実施態様では、ユーザー端末は、同じまたはほぼ同じ変調および符号化方式を有するユーザー端末が同じサブブロック５００、５０２、５０４に割り当てられるように、サブブロック５００、５０２、５０４に割り当てられる。異なるサブブロック５００、５０２、５０４は、送信機側と受信機側の両方でデジタルまたはアナログフィルターを用いて分離させることができる。同じ変調および符号化方式を有するユーザー端末は、ほぼ同じ必要受信電力レベルを有するため、ユーザー端末間の干渉を著しく減少させることができる。
【００４０】
ある実施態様では、図４の処理装置は、ユーザー端末の受信電力レベルを検出し、かつ、同じ平均受信電力レベルを有するユーザー端末を、同じ周波数帯域サブブロックに割り当てることによって多重アクセス干渉を最小限に抑えるようにさらに構成されている。前記多重アクセス干渉は、同じサブブロック５００、５０２、５０４に割り当てられたユーザー端末の平均受信電力レベルが同じ場合に、最小限に抑えることができる。ある実施態様では、サブブロック５００、５０２、５０４内のユーザー端末で、さらに他の電力制御法が用いられる。ユーザー端末のさらなる電力制御は、使用されるユーザー端末の変調および符号化方式に基づいて行うことができる。ネットワーク構成要素４００内の電力制御装置４３０を用いて、ユーザー端末によって使用される変調および符号化方式に基づいてユーザー端末の送信電力を制御することができる。
【００４１】
図６は、各ユーザー端末が異なるサブブロック６００、６０２、６０４、６０６、６０８、６１０に割り当てられるというＳＣ−ＦＤＭＡシステムで用いられる本発明のある実施態様の別の例を示す。この実施態様では、ユーザー端末は、同じ変調および符号化方式を有するユーザーが隣接するサブブロックに割り当てられるように、使用される変調および符号化方式に応じて異なるサブブロック６００、６０２、６０４、６０６、６０８、６１０に割り当てられる。例えば、サブブロック６０６〜６１０におけるユーザー端末は、各々、ＱＰＳＫ１／６変調を使用するため、隣接するサブブロック６０６〜６１０に割り当てられる。サブブロック６０２および６０４におけるユーザー端末は、ＱＰＳＫ１／２変調を使用するため、隣接するサブブロックに割り当てられる。
【００４２】
ある実施態様では、１つ以上のユーザー端末が初めに割り当てられた周波数帯域サブブロックが周波数ホッピングを起こした場合に、前記ユーザー端末によって使用される変調および符号化方式に基づいて、前記１つ以上のユーザー端末を第２の周波数帯域サブブロックに割り当てることも可能である。従って、周波数ホッピングの状況において、前記１つ以上のユーザー端末を、前記１つ以上のユーザー端末が初めに割り当てられた周波数帯域サブブロックと少なくともほぼ同様の変調および符号化方式を使用する第２の周波数帯域サブブロックに割り当ててもよい。ある実施態様では、周波数ホッピングの状況において、前記１つ以上のユーザー端末を前記第２の周波数帯域サブブロックに割り当てる前に、前記１つ以上のユーザー端末の変調および符号化方式を変えて前記第２の周波数帯域サブブロックの変調および符号化方式に対応させてもよい。周波数ホッピングはダイバーシティを可能にし、受信機の性能が向上する。さらに、全周波数帯域にわたる干渉を平均化させることができる。
【００４３】
本発明の実施態様は、ＯＦＤＭＡシステムとＳＣ−ＦＤＭＡシステムの両方で用いることができる。また、インターリーブ型のＯＦＤＭＡとブロック型のＯＦＤＭＡの両方をサブブロック内で用いることができる。インターリーブ型ＳＣ−ＦＤＭＡを用いる場合、低ピーク対平均比を用いて櫛形スペクトルを生成することができる。本発明の実施態様は、一般的な無線周波数およびベースバンド処理技術を用いて実施することができる。
【００４４】
図７を参照して、本発明の実施態様による方法の例をフローチャートに示す。
【００４５】
図７において、方法は７００において開始される。７０２において、ユーザー端末で使用される変調および符号化方式が検出または制御される。７０４において、共通の周波数帯域を、複数の周波数帯域サブブロックに分割する。７０６において、前記ユーザー端末によって使用される変調および符号化方式に基づいて、少なくとも１つのユーザー端末を各周波数帯域サブブロックに割り当てる。７０８において、前記ユーザー端末によって使用される変調および符号化方式に基づいて、前記ユーザー端末の送信電力を制御する。
【００４６】
７１０において、方法が終了する。
【００４７】
ある態様において、本発明は、コンピュータ処理を実行するための命令のコンピュータプログラムをエンコードするコンピュータプログラム製品を提供する。
【００４８】
別の態様において、本発明は、コンピュータで読み取り可能であり且つコンピュータ処理を実行するための命令のコンピュータプログラムをエンコードするコンピュータプログラム配布媒体を提供する。
【００４９】
前記配布媒体としては、コンピュータで読み取り可能な媒体、プログラム記憶媒体、記録媒体、コンピュータで読み取り可能なメモリ、コンピュータで読み取り可能なソフトウェア配布パッケージ、コンピュータで読み取り可能な信号、コンピュータで読み取り可能な通信信号、および／またはコンピュータで読み取り可能な圧縮されたソフトウェアパッケージを挙げることができる。
【００５０】
前記コンピュータ処理の実施態様を、図７に関連して説明する。
【００５１】
コンピュータプログラムは、ネットワーク構成要素４００のデジタルシグナルプロセッサ４２０で実行することができる。一部の処理工程は、ノードＢ３１２Ａ〜３１２Ｄのデジタルシグナルプロセッサで実行することができる。一部の処理工程は、実施態様に応じて、無線ネットワーク制御装置３１０Ａ、３１０Ｂのデジタルシグナルプロセッサで実行することができる。
【００５２】
本発明を添付図面が示す実施態様を参照しながら説明してきたが、本発明はそれら実施態様に限定されず、添付の請求の範囲内において様々な方法で変更することができることは明らかである。
【図面の簡単な説明】
【００５３】
【図１】公知のシングルキャリアＦＤＭＡシステムにおける帯域幅の使用の原理を示す図である。
【図２】ＦＤＭＡ／ＯＦＤＭＡシステムにおけるスペクトルの別の公知の利用方法を示す図である。
【図３】無線電気通信システムの一例を示す図である。
【図４】無線電気通信システムの別の例を示す図である。
【図５】アップリンク周波数分割多元接続システムにおける無線リソースを制御する方法の一例を示す図である。
【図６】アップリンク周波数分割多元接続システムにおける無線リソースを制御する方法の別の例を示す図である。
【図７】アップリンク周波数分割多元接続システムにおける無線リソースを制御する方法の別の例を示す図である。
【図１】
2008541527.tif 000003
【図２】
2008541527.tif 000004
【図３】
2008541527.tif 000005
【図４】
2008541527.tif 000006
【図５】
2008541527.tif 000007
【図６】
2008541527.tif 000008
【図７】
2008541527.tif 000009
【手続補正書】
【提出日】平成20年1月31日(2008.1.31)
【手続補正１】
【補正対象書類名】特許請求の範囲
【補正対象項目名】全文
【補正方法】変更
【補正の内容】
【特許請求の範囲】
【請求項１】
共通の周波数帯域を、複数の周波数帯域サブブロックに分割する工程と、
少なくとも１つのユーザー端末によって使用される変調および符号化方式に基づいて、
前記少なくとも１つのユーザー端末を各周波数帯域サブブロックに割り当てる工程と、
前記少なくとも１つのユーザー端末によって使用される変調および符号化方式に基づいて、前記少なくとも１つのユーザー端末の送信電力を制御する工程と、
を含んでなることを特徴とする方法。
【請求項２】
前記少なくとも１つのユーザー端末および前記ネットワークインフラストラクチャーのデジタルまたはアナログフィルターを用いて、前記異なる周波数帯域サブブロックを分離することをさらに含んでなる、請求項１に記載の方法。
【請求項３】
少なくとも１つのユーザー端末を各周波数帯域サブブロックに割り当てる前記工程は、ほぼ同様の変調および符号化方式を備えたユーザー端末を、対応する周波数帯域サブブロックに割り当てることをさらに含んでなる、請求項１に記載の方法。
【請求項４】
少なくとも１つのユーザー端末を各周波数帯域サブブロックに割り当てる前記工程は、前記少なくとも１つのユーザー端末の受信電力レベルを検出し、同じ平均受信電力レベルを有するユーザー端末を、同じ周波数帯域サブブロックに割り当てることによって多重アクセス干渉を最小限に抑えることをさらに含んでなる、請求項１に記載の方法。
【請求項５】
少なくとも１つのユーザー端末を各周波数帯域サブブロックに割り当てる前記工程は、ほぼ同様の変調および符号化方式を備えたユーザー端末を、隣接する周波数帯域サブブロックに割り当てることをさらに含んでなる、請求項１に記載の方法。
【請求項６】
特定のユーザー端末がどの変調および符号化方式を使用しているのか検出し、前記検出された変調および符号化方式に基づいて、前記特定のユーザー端末を特定の周波数帯域サブブロックに割り当てることをさらに含んでなる、請求項１に記載の方法。
【請求項７】
前記少なくとも１つのユーザー端末によって使用される異なる組み合わせの変調および符号化方式について前記ネットワークインフラストラクチャーに報知し、特定の周波数帯域サブブロックで使用される特定の組み合わせの変調および符号化方式を前記ネットワークインフラストラクチャーによって選択することをさらに含んでなる、請求項１に記載の方法。
【請求項８】
特定の周波数帯域サブブロックでどの変調および符号化方式が使用されるかについての情報を、前記ネットワークインフラストラクチャーによって、前記少なくとも１つのユーザー端末に提供することをさらに含んでなる、請求項１に記載の方法。
【請求項９】
１つ以上のユーザー端末が初めに割り当てられた周波数帯域サブブロックが周波数ホッピングを起こした場合に、前記少なくとも１つのユーザー端末によって使用される変調および符号化方式に基づいて、前記１つ以上のユーザー端末を第２の周波数帯域サブブロックに割り当てることをさらに含んでなる、請求項１に記載の方法。
【請求項１０】
前記第２の周波数帯域サブブロックは、前記１つ以上のユーザー端末が初めに割り当てられた周波数帯域サブブロックと少なくともほぼ同様の変調および符号化方式を使用する、請求項９に記載の方法。
【請求項１１】
前記１つ以上のユーザー端末を前記第２の周波数帯域サブブロックに割り当てる前に、前記１つ以上のユーザー端末の変調および符号化方式を変えて前記第２の周波数帯域サブブロックの変調および符号化方式に対応させることをさらに含んでなる、請求項９に記載の方法。
【請求項１２】
使用される前記アップリンク周波数分割多元接続システムは、シングルキャリア周波数分割多元接続システムまたは直交周波数分割多元接続システムである、請求項１に記載の方法。
【請求項１３】
無線電気通信システムであって、
前記無線電気通信システムは、ネットワークインフラストラクチャーと、複数のユーザー端末とを含んでなり、
前記ネットワークインフラストラクチャーは、
前記共通の周波数帯域を複数の周波数帯域サブブロックに分割する分割手段と、
前記ユーザー端末によって使用される変調および符号化方式に基づいて少なくとも１つのユーザー端末を各周波数帯域サブブロックに割り当てる無線リソース割当手段と、
前記ユーザー端末によって使用される変調および符号化方式に基づいて前記ユーザー端末の送信電力を制御する電力制御手段と、
を含んでなる、
ことを特徴とする前記無線電気通信システム。
【請求項１４】
無線電気通信システムの装置であって、
共通の周波数帯域を複数の周波数帯域サブブロックに分割する分割手段と、ユーザー端末によって使用される変調および符号化方式に基づいて少なくとも１つのユーザー端末を各周波数帯域サブブロックに割り当てる手段と、そして前記ユーザー端末によって使用される変調および符号化方式に基づいて前記ユーザー端末の送信電力を制御する手段、を含んでなることを特徴とする装置。
【請求項１５】
異なる周波数帯域サブブロックを分離するためのデジタルまたはアナログフィルター手段をさらに含んでなる、請求項１４に記載の装置。
【請求項１６】
ほぼ同様の変調および符号化方式を備えたユーザー端末を、同じ周波数帯域サブブロックに割り当てる手段を含む、請求項１４に記載の装置。
【請求項１７】
前記ユーザー端末の受信電力レベルを検出し、かつ、多重アクセス干渉を最小限に抑えるために、同じ平均受信電力レベルを有するユーザー端末を、同じ周波数帯域サブブロックに割り当てる手段を含む、請求項１４に記載の装置。
【請求項１８】
ほぼ同様の変調および符号化方式を備えたユーザー端末を、隣接する周波数帯域サブブロックに割り当てる手段を含む、請求項１４に記載の装置。
【請求項１９】
特定のユーザー端末がどの変調および符号化方式を使用しているのか検出する手段と、前記検出された変調および符号化方式に基づいて、前記特定のユーザー端末を特定の周波数帯域サブブロックに割り当てる手段を含む、請求項１４に記載の装置。
【請求項２０】
ユーザー端末によって使用される異なる組み合わせの変調および符号化方式についての情報を前記ユーザー端末から受信する手段と、特定の周波数帯域サブブロックで使用される特定の組み合わせの変調および符号化方式を選択する手段を含む、請求項１４に記載の装置。
【請求項２１】
特定の周波数帯域サブブロックでどの変調および符号化方式が使用されるかについての情報を、前記ユーザー端末に提供する手段を含む、請求項１４に記載の装置。
【請求項２２】
１つ以上のユーザー端末が初めに割り当てられた周波数帯域サブブロックが周波数ホッピングを起こした場合に、前記ユーザー端末によって使用される変調および符号化方式に基づいて、前記１つ以上のユーザー端末を第２の周波数帯域サブブロックに割り当てる手段を含む、請求項１４に記載の装置。
【請求項２３】
前記第２の周波数帯域サブブロックは、前記１つ以上のユーザー端末が初めに割り当てられた周波数帯域サブブロックとほぼ同様の変調および符号化方式を使用する、請求項２２に記載の装置。
【請求項２４】
前記１つ以上のユーザー端末を前記第２の周波数帯域サブブロックに割り当てる前に、前記１つ以上のユーザー端末の変調および符号化方式を変えて前記第２の周波数帯域サブブロックの変調および符号化方式に対応させる手段を含む、請求項２２に記載の装置。
【請求項２５】
コンピュータで読み取り可能な媒体に記録されたコンピュータプログラムであって、
共通の周波数帯域を複数の周波数帯域サブブロックに分割し、
ユーザー端末によって使用される変調および符号化方式に基づいて少なくとも１つのユーザー端末を各周波数帯域サブブロックに割り当て、そして
前記ユーザー端末によって使用される変調および符号化方式に基づいて前記ユーザー端末の送信電力を制御する、
ことを含んでなる、
ことを特徴とするコンピュータプログラム。
【請求項２６】
コンピュータプログラム配布媒体であって、
共通の周波数帯域を複数の周波数帯域サブブロックに分割し、
ユーザー端末によって使用される変調および符号化方式に基づいて少なくとも１つのユーザー端末を各周波数帯域サブブロックに割り当て、そして
前記ユーザー端末によって使用される変調および符号化方式に基づいて前記ユーザー端末の送信電力を制御する、
ことを含んでなる、
ことを特徴とするコンピュータプログラム配布媒体。
【国際調査報告】
2008541527.tif 000010
2008541527.tif 000011
2008541527.tif 000012